(57)【要約】【課題】前面扉を開くための手掛かり部が、見栄えを損なうことなく簡単な構成として設けられており、キャビネット内の収納スペースを有効利用して収納力を高めることの可能な取手を設けないタイプのアッパーキャビネットを実現する。【解決手段】キャビネット本体部２の底板８の下方に設けられた収納棚９は、下面が前面扉３の下端と同一高さに揃えられ、かつ前面端の少なくとも幅方向の一部がキャビネット本体部２の底板８の前面端よりも後退した位置に設けられることにより、前面扉３を開閉するための手掛かり部が形成されており、収納棚９と底板８の間に収納スペース２５が形成されており、この収納スペース２５の高さ寸法は、キャビネット本体部２内に設けられた収納用棚板１１で区画された収納スペース２２の高さ寸法より小さい。【選択図】図１
2015217062.tif 000002
【特許請求の範囲】
【請求項１】
壁面に設置されるアッパーキャビネットであって、
前記アッパーキャビネットは、前面が開放するように箱状に形成され、内部を収納部とするキャビネット本体部と、前記キャビネット本体部の前面側に取り付けられ、前記キャビネット本体部の側板または天板のいずれかに沿った軸を中心として回動するように開閉する前面扉と、前記キャビネット本体部の底板の下方に設置される収納棚と、を備え、
前記収納棚は、下面が前記前面扉の下端と同一高さに揃えられ、かつ前面端の少なくとも幅方向の一部が前記キャビネット本体部の底板の前面端よりも後退した位置に設けられることにより、前記前面扉を開閉するための手掛かり部が形成されていることを特徴とするアッパーキャビネット。
【請求項２】
前記キャビネット本体部には、複数段の収納用棚板が固定されており、
前記収納用棚板で区画された複数の収納スペースの高さ寸法よりも前記収納棚と前記キャビネット本体部の底板との間の収納スペースの高さ寸法が小さく設定されていることを特徴とする請求項１に記載のアッパーキャビネット。
【請求項３】
前記収納棚の前面にはパッキンが貼り付けられておらず、前記キャビネット本体部の前面端には全周パッキンが貼り付けられていることを特徴とする請求項１または２に記載のアッパーキャビネット。
【発明の詳細な説明】
【技術分野】
【０００１】
本発明は、キッチンの上方等の壁面に設置されるアッパーキャビネットに関するものである。
【背景技術】
【０００２】
従来は、アッパーキャビネットは前面扉に取手が設けられていたが、現在は、前面扉に取手が設けられていない取手レスのアッパーキャビネットも一般的に使用されている。
【０００３】
取手レスのアッパーキャビネットとしては、図４（ａ）、（ｂ）に示す従来例１のアッパーキャビネット３１のように、底板３２を側板３３より前後方向の寸法について短くし前面扉３６との間に隙間３７を設けて、前面扉３６の下端部内面に手を掛けて前面扉３６を開くことができるようにするとともに、底板３２の前端部の上面に防虫パッキン３８を固定して隙間３７からの虫の侵入を防止する構成が知られている。
【０００４】
また、図４（ｃ）、（ｄ）に示す従来例２のアッパーキャビネット４１のように、前面扉４２の下端部４３がキャビネット本体部４６の底板４７より下方まで延びるようにすることで、前面扉４２の下端部４３の内面に手を掛けて前面扉４２を開くことができるようにする構成が知られている。
【０００５】
さらに、吊戸棚の底部に水平に位置して水切り棚が設けられており、水切り棚の下方は、開放されている構成が知られている（特許文献１参照）。
【先行技術文献】
【特許文献】
【０００６】
【特許文献１】特開平１０−１２６号公報
【発明の概要】
【発明が解決しようとする課題】
【０００７】
底板３２を側板３６より短くして隙間３７を形成するとともに底板３２に防虫パッキン３８を固定する従来例１の取手レスのアッパーキャビネット３１（図３（ａ）、（ｂ）参照）は、防虫パッキン３８を取り付けなくてはならず、部品点数が多くなりコストアップとなるデメリットがあり、防虫パッキン３８は防虫、防水、防湿、防塵等の機能はあるが、それ以外には機能しない。
【０００８】
ところで、アッパーキャビネット、レンジフード等は、上下方向の丈を例えば７００ｍｍ等に揃えて見た目の統一が図ることは、当業者の技術常識とされている。しかしながら、従来例２の取手レスのアッパーキャビネット４１（図３（ｃ）、（ｄ）参照）は、前面扉４２の下端部４３がキャビネット本体部４６の底板４７より下方まで延ばし、前面は隣接するレンジフード等と下端が揃っているが、その奥側のキャビネット本体部４６は、丈が短いために、レンジフード等と下端が揃わないので意匠性を損なうという問題がある。
【０００９】
そして、特許文献１記載の吊戸棚は、前面扉の下端部に手を掛けて開くことができるが、下方に開放されている構成は、底部に水切り棚を設ける特別の用途のための構成としてはやむ得ないが、通常の吊戸棚では、見た目も悪く、また埃、水、湿気、虫等が下方から入り易いので、必ずしも好ましくはない。
【００１０】
本発明は、上記従来の問題を解決し、前面扉の下端とキャビネット本体部の下端が揃っており、前面扉の下端に手を掛けることができ、埃、水、湿気、虫等が下方から入りにくく、収納の自由度の高い取手を設けないタイプのアッパーキャビネットを実現することを課題とする。
【課題を解決するための手段】
【００１１】
本発明は上記課題を解決するために、壁面に設置されるアッパーキャビネットであって、前記アッパーキャビネットは、前面が開放するように箱状に形成され、内部を収納部とするキャビネット本体部と、前記キャビネット本体部の前面側に取り付けられ、前記キャビネット本体部の側板または天板のいずれかに沿った軸を中心として回動するように開閉する前面扉と、前記キャビネット本体部の底板の下方に設置される収納棚と、を備え、前記収納棚は、下面が前記前面扉の下端と同一高さに揃えられ、かつ前面端の少なくとも幅方向の一部が前記キャビネット本体部の底板の前面端よりも後退した位置に設けられることにより、前記前面扉を開閉するための手掛かり部が形成されていることを特徴とするアッパーキャビネットを提供する。
【００１２】
前記キャビネット本体部には、複数段の収納用棚板が固定されており、前記収納用棚板で区画された複数の収納スペースの高さ寸法よりも前記収納棚と前記キャビネット本体部の底板との間の収納スペースの高さ寸法が小さく設定されていることが好ましい。
【００１３】
前記収納棚の前面にはパッキンが貼り付けられておらず、前記キャビネット本体部の前面端には全周パッキンが貼り付けられていることが好ましい。  
【発明の効果】
【００１４】
本発明によれば、次のような効果が生じる。
（１）前面扉の下端とキャビネット本体部の下端が揃っているので、隣接するレンジフード等と下端を揃えることが可能となり、キッチン全体の意匠性を損なうようなことはない。
【００１５】
（２）収納棚の前面端の少なくとも横幅方向の一部がキャビネット本体部の底板の前面端よりも後退した位置となるようにすることで隙間を設けるという簡単な構成によって、前面扉を開閉するための手掛かり部を形成でき、しかも、手掛かり部を形成する隙間を設けたことにより生じる、収納棚と底板との間のデッドスペースを収納スペースとして使用でき、収納の自由度を高める。
【００１６】
（３）手掛かり部を形成する隙間を設けても、底板よって遮蔽しているので、下方からキャビネット本体部の収納スペース内に埃、水分、湿気、虫等が入ることはない。
【図面の簡単な説明】
【００１７】
【図１】本発明に係るアッパーキャビネットの実施例を説明する図であり、（ａ）は正面図であり、（ｂ）は（ａ）のＢ−Ｂ断面図であり、（ｃ）は（ｂ）の要部拡大図である。
【図２】上記実施例のアッパーキャビネットにおける手掛かり部を形成する隙間の構成を説明する図であり、（ａ）は隙間が横幅方向の略全域に形成されている構成を示し、（ｂ）は隙間が横幅方向の一部に形成されている構成の一例を示す。
【図３】従来のアッパーキャビネットの構成を示し、（ａ）は従来例１のアッパーキャビネットの断面図を示し、（ｂ）は（ａ）の要部拡大図を示し、（ｃ）は従来例２のアッパーキャビネットの断面図を示し、（ｄ）は（ｃ）の要部拡大図を示す。
【発明を実施するための形態】
【００１８】
本発明に係るアッパーキャビネットを実施するための形態を実施例に基づき図面を参照して、以下説明する。本明細書では、アッパーキャビネットを正面視し、左右方向とし、手前奥行き方向を前後方向とする。
【実施例】
【００１９】
本発明に係るアッパーキャビネットの実施例を図１、２において説明する。実施例のアッパーキャビネット１は、キッチン等の壁面に設置されて使用される。アッパーキャビネット１は、図１（ａ）〜（ｃ）に示すように、前面が開放するように箱状に形成されており、内部を収納部とするキャビネット本体部２と、前面扉３と、を備えている。
【００２０】
キャビネット本体部２は、図１（ａ）〜（ｃ）に示すように、左右の側板６と、天板７と、底板８と、底板８より下方に設けられた収納棚９と、を備えている。キャビネット本体部２内には、収納用棚板１１が１段または複数段（本実施例では２段）取り付けられている。
【００２１】
キャビネット本体部２の後面側には、上下に水平の桟板１２が設けられており、桟板１２の前面には薄板１３が張り付けられている。この薄板１３によって、キャビネット本体部２の後面開口を閉じている。
【００２２】
前面扉３は、キャビネット本体部２の前面側に開閉可能に取り付けられている。具体的には、前面扉３は、キャビネット本体部２の側板６または天板７のいずれかに沿った軸を中心として回動し、開閉可能に取り付けられている。
【００２３】
本実施例では、前面扉３は左右２枚備えており、それぞれ左右の側板６の前端にヒンジ１６によって左右に開閉可能（観音開き可能）に設けられている。図示はしないが、前面扉３を天板７に沿った軸を中心として回動可能に取り付ける構成としてもよい。その場合は、天板７の前端にヒンジによって取り付ける構成とすればよい。また、前面扉が１枚で、片開きの構成とすることもできる。
【００２４】
底板８は、キャビネット本体部２の下部において側板６の前端まで延び、キャビネット本体部２の下方への開口を閉じるように設けられている。
【００２５】
底板８の下方に設けられた収納棚９は、図１（ｂ）、（ｃ）に示すように、その下面が前面扉３の下端及び側板６の下端と同一高さに揃えられ、かつその前面端１７の少なくとも横幅方向の一部、換言すると横幅方向の全域または一部が、底板８及び側板６等キャビネット本体部２の他の部分の前面端１８よりも後退した位置に設けられている。
【００２６】
収納棚９の前面端１７が、キャビネット本体部２の他の部分の前面端１８よりも後退した位置に設けられていると、前面扉３を閉めた状態では、前面扉３と収納棚９との間には隙間２１が残るので、その隙間２１から手を入れて前面扉３の下端後面に手を掛けて開閉する手掛かり部が形成される。
【００２７】
図２（ａ）に示す例では、収納棚９の前面端１７は、その横幅方向の全域が、底板８及び側板６等、キャビネット本体部２の他の部分の前面端１８よりも後退した位置となるように形成されており、前面扉３との間にキャビネット本体部２の横幅方向の全域に手掛かり部を形成する隙間２１が設けられる。
【００２８】
手掛かり部を形成する隙間２１が横幅方向の全域に設けられている構成の場合は、収納棚９は、一律に側板６の前面端から後退した位置となるような奥行き寸法に形成されている。
【００２９】
図２（ａ）に示す例では、収納棚９の前面端１７は、その横幅方向の全域が、側板６等、キャビネット本体部２の他の部分の前面端１８よりも後退した位置となるように形成されており、前面扉３との間にキャビネット本体部２の横幅方向の全域に手掛かり部を形成する隙間２１が設けられる。
【００３０】
図２（ｂ）に示す例では、収納棚９の前面端１７の横幅方向の一部、即ち左右の前面扉３に対応して２カ所が底板８及び側板６等、キャビネット本体部２の他の部分の前面端１８よりも後退した位置となるように構成され、前面扉３との間に手掛かり部を形成する隙間２１は、横幅方向の一部、即ち左右の前面扉３に対応して２カ所に設けられている。
【００３１】
このような構成とするために、収納棚９には、左右の隙間２１が形成される一部について前面端１７から後方に向けて、左右の隙間２１の横幅及び縦幅に相当する左右の切り欠き２４が形成されており、収納棚９の前面端１７の他の部分は、底板８及び側板６等、キャビネット本体部２の他の部分の前面端１８と同じ位置となるようにに形成されている。
【００３２】
このように、収納棚９は、その前面端１７の横幅方向の少なくとも一部、換言すると横幅方向の全域または一部が、キャビネット本体部２の他の部分の前面端よりも後退した位置となるように構成され、手掛かり部を形成する隙間２１は、横幅方向の少なくとも一部、換言すると横幅方向の全域または一部に設けられている。
【００３３】
複数段の収納用棚板１１は、キャビネット本体部２内を区画して複数の収納スペース２２を形成している。これら複数の収納スペース２２の高さ寸法よりも、収納棚９とキャビネット本体部２の底板８との間の収納スペース２５の高さ寸法は、小さく設定されている。
【００３４】
例えば、底板８は収納棚９の上方５０〜６０ｍｍ程度の位置に設けることで、収納棚９とキャビネット本体部２の底板８との間の収納スペース２５の高さ寸法は、５０〜６０ｍｍ程度である。このような収納スペース２５は、例えば、お盆や書籍等のように比較的に平坦で厚みのない物品を収納する場合に適している。
【００３５】
前面扉３における下端から底板８の下面までの下端部内面２６が、前面扉３を開く際に手を掛けることのできる部分となる。従って、上記のとおり、底板８は収納棚９の上方５０〜６０ｍｍ程度の位置に設けた構成とすれば、前面扉３の下端部内面２６についても、十分に手を掛けることができる程度の寸法が確保できる。
【００３６】
前面扉３を閉めた状態において、キャビネット内に埃、水、湿気、虫等が入りにくくなるように、左右の側板６の前面端、底板８の前面端、天板７の前面端、及び左右の前面扉３の互いの合わせ面の一方等には、パッキン２３が貼り付けられている。しかし、収納棚９の前面には、横幅方向の一部または全域に手掛かり部を形成する隙間２１が設けられているので、パッキンを貼り付ける必要はない。
【００３７】
なお、前面扉３と収納棚９の前面端１７の間には、横幅方向の一部または全域に手掛かり部を形成する隙間２１が設けられているが、その上方において、底板８でキャビネット本体部２は閉止されているので、隙間２１を通して埃、水、湿気、虫等が入っても、キャビネット本体部２の収納スペース２２内には入り込むことはない。
【００３８】
（作用）                       
以上の構成からなるアッパーキャビネット１の作用をその使用態様を通して、以下に説明する。アッパーキャビネット１が、図１（ａ）〜（ｃ）に示すように閉じた状態から前面扉３を開く場合は、手掛かり部を形成する隙間２１に手を入れて、前面扉３の下端部内面２６に手を掛けて前方に引けばよい。                              
【００３９】
そして、収納棚９に物品を載置すれば、収納棚９と底板８の間に形成された収納スペース２５に収納することができ、また容易に取り出すことができる。
【００４０】
本発明のアッパーキャビネット１では、収納棚９の前面端１７の少なくとも横幅方向の一部を、キャビネット本体部２の底板８及び側板６等の前面端１８よりも後退した位置に設けることで、隙間２１を残すという簡単な構成で、前面扉３を開閉するための手掛かり部を形成するとともに、隙間２１を設けたことにより生じる、収納棚９と底板８との間のデッドスペースを収納スペースとして使用できる。
【００４１】
手掛かり部を形成する隙間２１を設けても、底板８よって遮蔽しているので、下方からキャビネット本体部２の収納スペース２２内に埃、水分、湿気、虫等が入ることはない。
【００４２】
以上、本発明に係るアッパーキャビネットを実施するための実施の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４３】
本発明に係るアッパーキャビネットは上記のような構成であるから、キッチンにおけるもアッパーキャビネットだけでなく、他の場所に取り付けるアッパーキャビネットにも適用適用可能である。
【符号の説明】
【００４４】
１  アッパーキャビネット                      
２  キャビネット本体部                        
３  前面扉                                    
６  左右の側板                                
７  天板                                      
８  底板                                      
９  収納棚                                    
１１  収納用棚板                              
１２  桟板                                    
１３  薄板                                    
１６  ヒンジ                                  
１７  収納棚の前面端                          
１８  本体部の前面端                          
２１  前面扉と収納棚の間の隙間                
２２  収納用棚板で区画された収納スペース      
２３  パッキン                                
２４  収納棚の前面端に形成された切り欠き      
２５  底板と収納棚の間の収納スペース          
２６  前面扉の下端部内面                      
３１  従来例１のアッパーキャビネット          
３２  底板                                    
３３  前面扉                                  
３６  側板                                    
３７  隙間                                    
３８  防虫パッキン                            
４１  従来例２のアッパーキャビネット          
４２  前面扉                                  
４３  下端部                                  
４６  キャビネット本体部                      
４７  底板                                    
【図１】
2015217062.tif 000003
【図２】
2015217062.tif 000004
【図３】
2015217062.tif 000005